(57)【特許請求の範囲】
【請求項１】
吸排気可能かつ顔面に密着可能に形成された面体と、前記面体の幅を二等分する中心線の両側それぞれに設けられた一対の吸気用カップとを有し、前記カップは、前記面体寄りに位置する底部が通気孔を介して前記面体につながり、前記底部と反対側の頂部がフィルタの着脱を可能に形成されている防護マスクであって、
前記カップの内部には、前記底部に臨む前記通気孔の周縁部に対して摺動して前記通気孔を開閉することが可能なシャッタープレートと、前記シャッタープレートから前記カップの周壁を気密状態下に摺動可能に貫通して前記カップの外部へ延出するスライドバーとが設けられ、前記カップの外部には、前記中心線を横切って前記幅方向へ延びて一対の前記カップそれぞれの前記外部へ延出した前記スライドバーの端部につながるクロスバーが設けられており、
前記スライドバーの延出する方向において前記クロスバーが往復運動すると、前記スライドバーを介して前記シャッタープレートが前記通気孔を開閉するように往復運動し、かつ、前記シャッタープレートが前記通気孔を閉じると、前記通気孔が気密状態になることを特徴とする前記防護マスク。
【請求項２】
前記シャッタープレートから延出する前記スライドバーは互いに平行な一対のバーからなり、前記カップの外部ではこれら一対のバーの端部どうしが連結バーによってつながれており、前記クロスバーが、前記連結バーに対して前記連結バーの周方向へ摺動可能に取り付けられているスリーブと一体になっていて、前記スリーブと前記連結バーとを介して前記スライドバーの端部につながっている請求項１記載の防護マスク。
【請求項３】
前記スライドバーの前記カップの外部へ延出する方向は、一対の前記カップどうしの間における前記スライドバーと前記スライドバーとの間隔が次第に小さくなるように設定されている請求項１または２記載の防護マスク。
【請求項４】
前記スライドバーが可撓性のものである請求項１〜３のいずれかに記載の防護マスク。
【請求項５】
前記スライドバーの断面形状は長円形であって、前記長円形の短軸が前記シャッタープレートの厚さ方向に延びている請求項１〜４のいずれかに記載の防護マスク。
【発明の詳細な説明】
【技術分野】
【０００１】
この発明は防護マスクに関し、より詳しくは、着用した防護マスクの顔面に対する密着状態の良否を点検することのできる前記防護マスクに関する。
【背景技術】
【０００２】
従来、作業現場や事故現場等で着用する防護マスクは周知である。また、その防護マスクを着用したときに、防護マスクの顔面に対する密着状態の良否を点検することのできる防護マスクもよく知られている。例えば、実公昭６０−４１２４３号公報（特許文献１）に開示された防じんマスクは、フィルタを着脱可能に形成されたケース本体部と面体とが吸気口を介してつながっている。ケース本体部の内部には、吸気口を開閉することができる弁体が設けられている。その弁体からは、ケース本体部の外へ操作用レバーが延出している。そのレバーを操作することによって、弁体による吸気口の開閉が可能になる。着用したマスクが顔面に対して気密状態で密着しているか否かを点検するときには、弁体によって吸気口を閉じておいてマスク着用者が呼吸を繰り返せばよい。このような点検は、フィットチェックと呼ばれることがある。
【特許文献１】実公昭６０−４１２４３号公報
【発明の開示】
【発明が解決しようとする課題】
【０００３】
特許文献１に開示された防じんマスクは、面体の幅方向中央部にケース本体部を有するものである。しかるに、防じんマスク等の防護マスクには、面体の幅方向両側に吸気口が設けられ、それぞれの吸気口に対してフィルタが取り付けられるように設計されたものがある。このような防護マスクでもまた、特許文献１に開示の弁体と操作用レバーとを使用可能ではあるが、マスク着用者にとっては、それぞれの吸気口に対して弁体の開閉操作が必要になるという煩雑さがある。その煩雑さはまた、開閉についての誤操作の原因になることもある。
【０００４】
この発明では、面体の両側に吸気口が設けられていて吸気口のそれぞれに個別のフィルタが使用される防護マスクを対象とし、着用時における気密状態の良否の点検を容易にすることを課題にしている。
【課題を解決するための手段】
【０００５】
前記課題を解決するために、この発明が対象とするのは、吸排気可能かつ顔面に密着可能に形成された面体と、前記面体の幅を二等分する中心線の両側それぞれに設けられた一対の吸気用カップとを有し、前記カップは、前記面体寄りに位置する底部が通気孔を介して前記面体につながり、前記底部と反対側の頂部がフィルタの着脱を可能に形成されている防護マスクである。
【０００６】
かかる防護マスクにおいて、この発明が特徴とするところは、次のとおりである。前記カップの内部には、前記底部に臨む前記通気孔の周縁部に対して摺動して前記通気孔を開閉することが可能なシャッタープレートと、前記シャッタープレートから前記カップの周壁を気密状態下に摺動可能に貫通して前記カップの外部へ延出するスライドバーとが設けられる。前記カップの外部には、前記中心線を横切って前記幅方向へ延びて一対の前記カップそれぞれの前記外部へ延出した前記スライドバーの端部につながるクロスバーが設けられている。前記スライドバーの延出する方向において前記クロスバーが往復運動すると、前記スライドバーを介して前記シャッタープレートが前記通気孔を開閉するように往復運動し、かつ、前記シャッタープレートが前記通気孔を閉じると、前記通気孔が気密状態になる。
【０００７】
この発明の好ましい実施態様の一つにおいて、前記シャッタープレートから延出する前記スライドバーは互いに平行な一対のバーからなり、前記カップの外部では、これら一対のバーの端部どうしが連結バーによってつながれており、前記クロスバーが、前記連結バーに対して前記連結バーの周方向へ摺動可能に取り付けられているスリーブと一体になっていて、前記スリーブと前記連結バーとを介して前記スライドバーの端部につながっている。
【０００８】
この発明の好ましい実施態様の他の一つにおいて、一対の前記スライドバーの前記カップの外部へ延出する方向は、前記カップどうしの間における前記スライドバーと前記スライドバーとの間隔が次第に小さくなるように設定されている。
【０００９】
この発明の好ましい実施態様の他の一つにおいて、前記スライドバーが可撓性のものである。
【００１０】
この発明の好ましい実施態様の他の一つにおいて、前記スライドバーの断面形状は長円形であって、前記長円形の短軸が前記シャッタープレートの厚さ方向に延びている。
【発明の効果】
【００１１】
この発明に係る防護マスクは、面体の両側にフィルタの着脱が可能な吸気用カップを有し、カップと面体とが通気孔を介してつながれている。カップ内部には通気孔を開閉可能なシャッタープレートが設けられていて、そのシャッタープレートからはカップの外部へスライドバーが延出している。面体の両側にあるカップのスライドバーの端部には面体の幅方向へ延びるクロスバーがつながっているから、スライドバーの延出する方向においてこのクロスバーが往復運動すると、面体の両側において、スライドバーを介してシャッタープレートが通気孔を開閉するように往復運動する。即ち、クロスバーの操作で、面体両側の通気孔を同時に開閉することができる。
【００１２】
スライドバーが平行な一対のバーからなり、一対のバーの端部どうしが連結バーによってつながれており、クロスバーが連結バーに対して摺動可能に取り付けられているスリーブと一体になっている態様のこの発明では、その連結バーとスリーブとがそれぞれの周方向において回転可能な接手として作用するので、シャッタープレートとクロスバーとの往復運動がスムーズなものになり易い。
【００１３】
カップの外部へスライドバーを延出させる方向が、カップどうしの間におけるスライドバーとスライドバーとの間隔を次第に小さくするように設定されている態様のこの発明では、スライドバーの延出する方向へクロスバーが動くと、カップそれぞれから外部へ延びるスライドバーには、クロスバーによって、スライドバーとスライドバーとの間隔を広げようとする力が作用する。その作用はまた、スライドバーを介してシャッタープレートを通気孔の周縁部に強く密着させようとするから、シャッタープレートとその周縁部との気密性が向上する。
【００１４】
スライドバーが可撓性である態様のこの発明では、クロスバーによって、スライドバーとスライドバーとの間隔を広げようとする力が作用すると、スライドバーが滑らかに撓んで、スライドバーのカップ周壁に対する摺動をスムーズにすることができる。
【００１５】
スライドバーの断面形状が長円形であって、長円形の短軸がシャッタープレートの厚さ方向に延びている態様のこの発明では、その厚さ方向においてスライドバーに対して力が作用したときに、スライドバーを速やかに撓ませることができる。
【発明を実施するための最良の形態】
【００１６】
添付の図面を参照して、この発明に係る防護マスクの詳細を説明すると、以下のとおりである。
【００１７】
図１，２は、防護マスク１の正面図と、部分破断斜視図である。防護マスク１は、面体２と、吸気用カップ３と、カップ３に着脱可能なユニットとして形成されたフィルタ４とを有するものであるが、図２の防護マスク１は、カップ３からフィルタ４が外された状態にあり、そのカップ３は一部分が破断された状態で示されている。
【００１８】
面体２は、本体１１と、本体１１に組み込まれているレンズ部１２とを有する。本体１１は、外周縁部１５がゴム等の弾性材料で形成されていてマスク着用者の顔面に気密状態で密着可能である。その外周縁部１５からは防護マスク１の後方に向かって複数条のヘッドバンド１３が延びている。ただし、図１，２では、ヘッドバンド１３の後方部分の図示が省略されている。本体１１にはまた、防護マスク１の幅を二等分する中心線Ｃ−Ｃ上に排気部１４と伝声部１６とが形成されている。排気部１４の内部には、マスク着用者の呼気を排出するための排気用逆止弁（図示せず）が取り付けられている。
【００１９】
カップ３は、対を成すように面体２の両側に設けられていて、本端１１寄りの底部１７と、円筒状に形成された周壁部１８と、底部１７の反対側に周壁部１８によって画成された頂部開口１９とを有する。底部１７には、本体１１の内側へつながる通気孔２１が形成されている。周壁部１８の内周面には、フィルタ４を取り付けるためのねじ溝２２が形成されている。カップ３の内部には、通気孔２１を開閉できるシャッタープレート２３と、シャッタープレート２３の両側部からカップ３の周壁部１８を貫通して外部へ延出する互いに平行な一対のスライドバー２４が設けられている。カップ３の外部において、スライドバー２４の端部２６どうしは連結バー２７（図３参照）によってつなげられている。面体２の両側それぞれのカップ３からその外部へ延出するスライドバー２４とスライドバー２４とは、中心線Ｃ−Ｃを横切って防護マスク１の幅方向へ延びるクロスバー３１の両端部３２それぞれにつながっている。
【００２０】
フィルタ４は、周知慣用のものであって、硬質プラスチック等で形成された通気性のケース２８の内部にろ紙その他のろ材（図示せず）を有する。ケース２８には、カップ３のねじ溝２２に螺合するねじ山（図示せず）が形成されており、フィルタ４をカップ３に対して着脱することができる。
【００２１】
このように形成されている防護マスク１では、それを着用したときに、マスク着用者（図示せず）はクロスバー３１を操作してそれぞれのシャッタープレート２３によって一対の通気孔２１を閉じる。着用者は、その後に呼吸を繰り返すと、面体１１の外周縁部１５が顔面に対して気密状態で密着しているか否かを点検することができる。
【００２２】
図３，４は、カップ３の部分破断正面図であって、シャッタープレート２３の動きを示している。図３におけるシャッタープレート２３は、図２のそれと同じ状態にあり、通気孔２１が開いた状態にある。シャッタープレート２３がこの状態にある防護マスク１では、マスク着用者の吸気動作によって外気がフィルタ４でろ過された後に通気孔２１を通り、面体１１の内部へ進入する。この通気孔２１の内部には、径方向と周方向とに延びるリブ３６が形成されており、リブ３６の内側には吸気用逆止弁３７が取り付けられている。カップ３の底部１７に臨む通気孔２１の周縁部３８は、シャッタープレート２３の内面に気密状態で密着できるように、好ましくはゴム等の柔軟弾性材料で形成されている。
【００２３】
シャッタープレート２３の両側部から延びるスライドバー２４のそれぞれ２４ａ，２４ｂは、カップ３の周壁部１８を貫通するように延びる案内管状部３９を通ってカップ３の外部に延出しており、その延出する方向が案内管状部３９によって規制されている。案内管状部３９の内部には、スライドバー２４の上下方向への気密状態下での往復運動を可能にするためのパッキング５１がある。スライドバー２４それぞれの内端部５２ａ，５２ｂはシャッタープレート２３の両側部に固定されており、それぞれの外端部２６ａ，２６ｂは連結バー２７を介してつながっている。その連結バー２７は、クロスバー３１に形成されたスリーブ状の端部３２に挿通されており、これら連結バー２７とクロスバー３１とは互いの周方向へ摺動可能である。
【００２４】
このように形成されている図３のカップ３では、クロスバー３１を矢印Ｐ方向、即ち図の上方へ移動させて図４の状態にすると、クロスバー３１の端部３２と連結バー２７とを介して一対のスライドバー２４（２４ａ，２４ｂ）が持ち上げられて、シャッタープレート２３も図の上方へ移動する。シャッタープレート２３は、その内面が通気孔２１の周縁部３８に密着するので、通気孔２１を気密状態で閉じることができる。図１において明らかなように、防護マスク１は、その両側にカップ３を有するから、クロスバー３１のこのような移動によって、カップ３それぞれにおける通気孔２１を同時に閉じることができる。図４のクロスバー３１は、これを矢印Ｐ方向とは反対の方向に押すと下降し、その下降に伴ってシャッタープレート２３も下降するので、通気孔２１が開いた状態になる。シャッタープレート２３と、スライドバー２４とクロスバー３１とはこのように矢印Ｐ方向とその反対方向とに往復運動するものである。
【００２５】
図５，６は、防護マスク１の両側に設けられた一対のカップ３を図１の下方から見た図であって、図１の排気部１４がそれをほぼ正面から見た状態にある。ただし、図５における一対のカップ３は図３のカップ３と同じ状態にあり、図６における一対のカップ３は図４のカップ３と同じ状態にある。図５，６では、一対のカップ３のうちでマスク着用者の左手側にあるものに参照符号３ａを使用し、右手側にあるものに参照符号３ｂが使用してある。図５におけるカップ３ａ，３ｂでは、シャッタープレート２３が通気孔２１の下方にあって、通気孔２１が通気可能な開いた状態にある。使用中の防護マスク１では、シャッタープレート２３と通気孔２１とがこの状態にあって、マスク着用者は自由に呼吸することができる。中心線Ｃの左右に延びるクロスバー３１は、マスク着用者の視界の妨げとなることがないように、レンズ１２の下方にあって、本体１１に接近している（図１，２を併せて参照）。クロスバー３１には、中心線Ｃ−Ｃとの交差部位に操作用つまみ部３１ａが形成されている。カップ３ａとカップ３ｂとは、図１，５から明らかなように、下方部分４１が中心線Ｃ−Ｃに向かって互いに接近し、上方部分４２が中心線Ｃ−Ｃから互いに離間するように本体１１に取り付けられている。また、カップ３ａとカップ３ｂとは、前方部分４３が中心線Ｃ−Ｃに向かって互いに接近し、後方部分４４が中心線Ｃから互いに離間するように本体１１に取り付けられている。かようなカップ３ａ，３ｂに対して図５に示された矢印Ａ，Ｂは、それぞれのカップ３ａ，３ｂにおける案内管状部３９によって延出方向が規制されたスライドバー２４ａ，２４ｂのその延出方向を示している。これらの矢印Ａ，Ｂは、互いに接近するように中心線Ｃ−Ｃに向かって延びている。
【００２６】
図６では、図５におけるクロスバー３１が図の上方へ、換言すると図２における矢印Ｐ方向へ移動している。その移動に伴って、カップ３ａ，３ｂそれぞれからスライドバー２４ａ，２４ｂが延出し、それぞれのシャッタープレート２３ａ，２３ｂが図の上方へ移動して通気孔２１のそれぞれ、即ち２１ａ，２１ｂを閉じている。スライドバー２４ａ，２４ｂは、図５の矢印Ａ，Ｂで示されるように中心線Ｃに向かって、互いに接近するようにカップ３の外部へ延出するものではあるが、スライドバー２４ａ，２４ｂの外端部２６ａ，２６ｂが実質的にはクロスバー３１の端部３２ａ，３２ｂに取り付けられているので、クロスバー３１が撓み難く作られる一方、スライドバー２４ａ，２４ｂが、滑らかかつゆるやかに撓むことができるように作られている場合には、クロスバー３１が図５の状態から図６の状態へと変化すると、スライドバー２４ａ，２４ｂの外端部２６ａと２６ｂとは互いに接近することがなくて、カップ３ａ，３ｂの外部でスライドバー２４ａ，２４ｂが図６の如く滑らかに撓む。スライドバー２４ａ，２４ｂそれぞれが、シャッタープレート２３ａ，２３ｂそれぞれの厚さ方向へ撓むことができるように作られていれば、撓んだスライドバー２４ａ，２４ｂは、シャッタープレート２３ａ，２３ｂを通気孔２１ａ，２１ｂそれぞれの周縁部３８に強く密着させるように作用する。その作用は、通気孔２１ａ，２１ｂの気密性を高めるうえにおいて好ましいものである。また、好ましいスライドバー２４ａ，２４ｂは、そのように撓むことが容易となるように、その断面形状が図３の破断部分に示されているように長円形であって、その長円形の短軸がシャッタープレート２３の厚さ方向へ延びている。ただし、シャッタープレート２３ａ，２３ｂは、スライドバー２４ａ，２４ｂが撓まなくても通気孔２１ａ，２１ｂを密閉するように作ることができるものでもある。
【００２７】
このように形成されるシャッタープレート２３、スライドバー２４、クロスバー３１は熱可塑性プラスチックを使用して作ることができる。これらのうちでスライドバー２４は、繰り返し撓むように変形するものであるから、そのような変形に適したＡＢＳ樹脂やポリアセタール樹脂等のプラスチック材料で作ることが好ましい。
【００２８】
なお、一対のシャッタープレート２３ａと２３ｂとの動きは、クロスバー３１のどの部分に指を当ててクロスバー３１を往復運動させるかによって異なることがあり、これら両者２３ａ，２３ｂが同じ速度でスムーズに往復運動せずに、両者の動きにずれの生じることがあり得る。しかも、シャッタープレート２３ａ，２３ｂが通気孔２１の周縁部３８に強く密着するほど、そのずれは大きくなる傾向にある。しかし、図示例の防護マスク１では、平行なスライドバー２４ａどうしをつなぐ連結バー２７ａも、平行なスライドバー２４ｂどうしをつなぐ連結バー２７ｂも、クロスバー３１のスリーブ状の端部３２に摺動可能に挿通されているので（図６参照）、例えば一方のシャッタープレート２３ａが通気孔２１を閉じていても、もう一方のシャッタープレート２３ｂが通気孔２１を未だ閉じていない状態にあるときには、連結バー２７ａ，２７ｂのそれぞれとクロスバー３１の両端部３２ａ，３２ｂのそれぞれとが回転可能な接手として作用し、連結バー２７ａ，２７ｂとクロスバー３１との角度が自動的に変化して、スライドバー２４ｂの案内管状部３９に対する滑らかな摺動が可能になり、もう一方のシャッタープレート２３ｂだけを通気孔２１の閉じる方向へスムーズに移動させることができる。
【００２９】
防護マスク１は、一本のクロスバー３１の往復運動によって一対のシャッタープレート２３ａ，２３ｂが一対の通気孔２１を開閉することができるものであるから、マスク着用者は、着用したマスクを使用するのに先立ってクロスバー３１を一回往復運動させるだけで、面体２がマスク着用者の顔面に適正に密着しているか否かの点検を容易に行うことができる。
【産業上の利用可能性】
【００３０】
この発明によれば、一対の吸気用カップを有する防護マスクであって、マスク着用者の顔面に対する密着状態の良否の点検が容易なものの製造が可能になる。
【図面の簡単な説明】
【００３１】
【図１】防護マスクの正面図。
【図２】防護マスクの部分破断斜視図。
【図３】通気孔が開いている吸気用カップの正面図。
【図４】通気孔が閉じている吸気用カップの正面図。
【図５】通気孔が開いている防護マスクを下方から見た図。
【図６】通気孔が閉じている防護マスクを下方から見た図。
【符号の説明】
【００３２】
１    防護マスク
２    面体
３    吸気用カップ
４    フィルタ
１７    底部
１８    周壁部
１９    頂部（開口）
２１    通気孔
２３，２３ａ，２３ｂ    シャッタープレート
２４，２４ａ，２４ｂ    スライドバー
２６    端部
２７，２７ａ，２７ｂ    連結バー
３１    クロスバー
３２，３２ａ，３２ｂ    スリーブ（端部）
３８    周縁部
Ｃ−Ｃ    中心線
【図１】
0004649336.tif 000002
【図２】
0004649336.tif 000003
【図３】
0004649336.tif 000004
【図４】
0004649336.tif 000005
【図５】
0004649336.tif 000006
【図６】
0004649336.tif 000007